(57)【要約】【課題】特殊なフックを用いなければ、裏表両面を利用可能なカーテンを提供することができなかった。【解決手段】Ａ面をつまむことで形成したＡヒダ山及びＢ面をつまむことで形成したＢヒダ山の双方をヒダ山１単位として、ヒダをＡ面とＢ面の双方に形成する。カーテンのＡ面を部屋に向けて用いる際にはＡヒダ山にフックを挿入し、Ｂ面を用いる際にはＢヒダ山にフックを挿入する。Ａ面とＢ面のいずれを用いた場合でもフックが外部に露出することがなく、また自然なプリーツを形成できる。【選択図】図２
2018047081.tif 000002
【特許請求の範囲】
【請求項１】
表と裏で異なるデザインを有したカーテン生地を用いた両面利用可能なカーテンであって、
表面が山となるようカーテンを折り曲げた上で、当該山の頂点からカーテンを吊るすフックの直径と略同一のサイズ分だけ離れた位置を縦方向に縫われることで形成された表ヒダと、
裏面が山となるようカーテンを折り曲げた上で、当該山の頂点からカーテンを吊るすフックの直径と略同一のサイズ分だけ離れた位置を縦方向に縫われることで形成された裏ヒダと、
を備えており、表ヒダと裏ヒダが交互に配置されていることを特徴とするカーテン。
【請求項２】
請求項１に記載のカーテンであって、
全ての表ヒダと裏ヒダは等間隔で交互に配置されており、
カーテンの耳に最も近いヒダが表ヒダである場合は、当該表ヒダと耳の距離が上記間隔よりも小さく、
カーテンの耳に最も近いヒダが裏ヒダである場合は、当該裏ヒダと耳の距離が上記間隔よりも小さいことを特徴とするカーテン。
【請求項３】
請求項１に記載のカーテンであって、
カーテンの耳に表ヒダ及び裏ヒダを有していることを特徴とするカーテン。
【請求項４】
表生地と裏生地の２枚を袋縫いで一体化させた生地を用いた両面利用可能なカーテンであって、
表生地が山となるようカーテンを折り曲げた上で、当該山の頂点からカーテンを吊るすフックの直径と略同一のサイズ分だけ離れた位置を縦方向に縫われることで形成された表ヒダと、
裏生地が山となるようカーテンを折り曲げた上で、当該山の頂点からカーテンを吊るすフックの直径と略同一のサイズ分だけ離れた位置を縦方向に縫われることで形成された裏ヒダと、
を備えており、表ヒダと裏ヒダが交互に配置されていることを特徴とするカーテン。
【発明の詳細な説明】
【技術分野】
【０００１】
本発明は、裏表の双方を利用可能なカーテンに関する。
【背景技術】
【０００２】
カーテンは、表面を部屋側へ、裏面を窓側に向ける形で利用される。そのため、表面が華やかなデザイン、裏面が地味なデザインとなるなど、表面と裏面で異なるデザインとなっていることも多い。
【０００３】
この点に着目して、季節や気分等に応じて、裏面を部屋側に向ける形で利用することで部屋の雰囲気を変えることがしばしば行われている。だが、通常は表面をメインとしてデザインされている為、表面と裏面では形状が異なる場合がほとんどである。
【０００４】
表面と裏面では形が異なることが多い箇所として、カーテンの左右の端部（耳）があげられる。すなわち、カーテンの左右端部（耳）において表面の生地で裏面を巻き込む形で処理した結果、裏側から見た場合に表面の生地が露出し、デザインという観点から非常に見苦しくなる。
【０００５】
また、カーテンを吊るすためのフックを取り付けるフック穴が裏面に形成されている。裏面を部屋側に向ける場合もここにフックを挿入するため、部屋側からフックが見える状態となり、表面を部屋側に向ける場合とはカーテンの形状が決定的に異なることとなり、非常に見栄えが悪くなる。
【０００６】
この問題を解決する、すなわち表面と裏面の双方を利用してもフックが見えないカーテンを実現すべく、特許文献１に記載される特殊なフックを用いることで裏表のどちらを利用した場合であってもフックにより見栄えが損なわれないカーテンは開発されている。
【先行技術文献】
【特許文献】
【０００７】
【特許文献１】特開２０１５−２８８６号公報
【発明の概要】
【発明が解決しようとする課題】
【０００８】
だが、特許文献１に記載の発明によれば、一般のフックを用いることができないため、消費者はカーテンに加えてフックをも購入する必要があり、どうしても高コストとなってしまう。
【０００９】
また、カーテンは１枚の布を折ることで山と谷を設けることが多い。このとき、山の裏側にフックを挿入することでフックが山を裏側から支える形となってカーテンが吊り下げられ、結果として綺麗なプリーツを得ることが可能となっている。
【００１０】
だが、特許文献１に記載のフックを用いた場合は、表側で山となっていた箇所を単純に裏返すだけとなり、裏側からは谷となっている箇所をフックで支える形となるため、綺麗なプリーツを得ることができない。
【００１１】
すなわち、通常のフックを利用し、かつ、表側も裏側も全く同様の使用感で用いることができる両面利用可能なカーテンはこれまで提供されていなかった。
【課題を解決するための手段】
【００１２】
そこで本発明では、
表と裏で異なるデザインを有したカーテン生地を用いた両面利用可能なカーテンであって、
表面が山となるようカーテンを折り曲げた上で、当該山の頂点からカーテンを吊るすフックの直径と略同一のサイズ分だけ離れた位置を縦方向に縫われることで形成された表ヒダと、
裏面が山となるようカーテンを折り曲げた上で、当該山の頂点からカーテンを吊るすフックの直径と略同一のサイズ分だけ離れた位置を縦方向に縫われることで形成された裏ヒダと、
を備えており、表ヒダと裏ヒダが交互に配置されていることを特徴とするカーテンを提供する。
【発明の効果】
【００１３】
本発明に係る裏表利用可能なカーテンでは、特殊なフックを用いずとも、表面を用いるときは表側にあるヒダの裏面側からフックを挿入して吊るし、裏面を用いるときは裏側にあるヒダの表面側からフックを挿入して吊るすことで、いずれの場合も利用する側からフックが見えない。
【００１４】
そればかりか、表面を用いても裏面を用いても用いる側の山となっている部分の裏側をフックで吊るすことになるため、綺麗なプリーツを得ることができる。
【図面の簡単な説明】
【００１５】
【図１】通常のカーテンを裏面から見た場合を示した図
【図２】本発明のカーテンをカーテンの頭部分について示した図
【図３】本発明のカーテンの耳の近傍に端部ヒダを設けた場合をカーテンの頭部分について示した図
【図４】本発明のカーテンの耳に耳孔を設けた場合をカーテンの頭部分について示した図
【図５】本発明のカーテンを示す図。
【図６】本発明のカーテンの利用方法を示す図
【図７】本発明のカーテンの利用方法を示す図
【図８】本発明のカーテンにおいて、上部のみ縫った状態で用いた様子を示した図
【図９】本発明のカーテンにおいて、上部のみ縫った状態で用いた様子を示した図
【発明を実施するための形態】
【００１６】
図２は、本発明のリバーシブルカーテン１の一実施例を示した図である。デザインの異なる２つの面をまったく同様に利用可能な表裏利用可能なカーテンである。
【００１７】
なお、本発明のリバーシブルカーテン１は、従来のカーテンでいう表面も裏面も双方をまったく同様に利用可能であり、表・裏の概念が存在しない。そのため、カーテンの表面をＡ面２といい、裏面をＢ面３というものとする。
【００１８】
リバーシブルカーテン１は、頭の部分を加工することによりヒダが形成されている。ヒダは、「頭」と呼ばれるカーテンを吊るした場合において上部に位置する領域に形成されており、内部にフックを取り付ける穴を有している。リバーシブルカーテン１では、Ａ面側に形成されるＡヒダ２ａとＢ面側に形成されるＢヒダ３ａの２種類のヒダを用いる。
【００１９】
Ａヒダ２ａは、Ａ面２が山となるようカーテンを折り曲げた上で、当該山の頂点からカーテンを吊るすフックの直径と略同一のサイズ分だけ離れた位置２ｂを縦方向に縫い、中空のトンネル状の空間である孔２ｃを形成することにより山を固定化させたものである。
【００２０】
孔２ｃは、Ｂ面側からフックを挿入することで、フックとカーテンを一体化させ、フックをカーテンレールに引っ掛けることでカーテンを吊るす用途で用いられる。なお、フックの直径と略同一とするのは、Ａヒダ２ａにフックを挿入した場合にしっかりとフックを固定する為である。
【００２１】
ところで通常のカーテンの製造にあたって、ヒダを形成する際には上述の縦方向へ縫うことに加えてヒダの裏側を横方向に縫うことが多いが、２つの理由により本発明のリバーシブルカーテン１の製造にあたっては避けることが好ましい。
【００２２】
カーテンの横方向への縫製は、縫い目が目立ちやすいことが多い。本発明のリバーシブルカーテン１は、裏側を活用することが前提である為、デザイン上の観点から横方向への縫い目が特に必要である場合を除き、好ましくない。
【００２３】
また、本発明のリバーシブルカーテン１は、後に説明するとおりＢ面側にＢヒダ３ａを備えるため、横方向に縫う場合はＢヒダ３ａの孔を潰さないように縫う必要がある。そのためには中空状となっているＢヒダに沿って縫うという、コストがかかる手法が必要となる為、好ましくない。
【００２４】
Ｂヒダ３ａは、Ｂ面側でＡヒダ２ａと同様に形成したものである。すなわち、Ｂ面３が山となるようカーテンを折り曲げた上で、当該山の頂点からカーテンを吊るすフックの直径と略同一のサイズ分だけ離れた位置３ｂを縦方向に縫い、中空のトンネル状の空間である孔３ｃを形成することにより山を固定化させたものである。
【００２５】
一般にヒダは、窓枠に対するカーテン生地の大きさやデザイン性等を考慮して複数個形成する必要がある。従来のリバーシブルカーテンにおいても、ヒダを表面と裏面の双方に形成し、これらのヒダを用いて表側と裏側の双方を利用しようとしていたが、表面と裏面でヒダの形状が異なる為にカーテン全体のドレープ感が表面を用いる場合と裏面を用いる場合とで異なっていた。
【００２６】
だが、本発明のリバーシブルカーテン１で用いるＡヒダ２ａとＢヒダ３ａは全く同じ形状である。さらに、Ａヒダ２ａとＢヒダ３ａを交互となるようヒダを形成することで、Ａ面側を用いる場合とまったく同じドレープ感でＢ面側を用いることが可能となっている。
【００２７】
ヒダとヒダの間隔は、一義的にはデザイン上の要請により決定されるが、機能面からは、ヒダとヒダが離れすぎることにより、カーテン生地が垂れ下がることがないことが望まれる。リバーシブルカーテン１ではＡヒダ２ａとＢヒダ３ａが同時に用いられることは無い為、Ａヒダ２ａと当該Ａヒダ２ａに最も近いＡヒダ２ａの間と、またＢヒダ３ａと当該Ｂヒダ３ａに最も近いＢヒダ３ａ間とで、それぞれヒダの間隔を設計しなくてはならない。
【００２８】
Ａヒダ２ａ同士の間隔とＢヒダ３ａ同士の間隔が異なる場合は、Ａヒダ２ａとＢヒダ３ａ間の距離が生地の場所によって変化する為、非常に複雑な形状のカーテンとなってしまう。これを避ける為に、Ａヒダ２ａ同士の間隔及びＢヒダ３ａ同士の間隔も同一とすることが好ましい。この場合、必然的にＡヒダ２ａとＢヒダ３ａの間の距離も等間隔となり、Ａ面とＢ面の双方でドレープ感を美しく同じ状態に保つことができる。なお、特にデザイン上の必要がある場合は例外として等間隔としなくてもよい。
【００２９】
カーテンを吊るした際の左右の端部を耳という。カーテンの耳から最も近いヒダまでも距離が大きくなればなるほど、耳の部分が垂れ下がりやすくなり、見栄えが悪化する。
【００３０】
リバーシブルカーテン１のヒダの設計においては、耳に最も近いヒダがＡヒダ２である場合は耳とＢヒダ３までの距離、逆に耳に最も近いヒダがＢヒダ３である場合は耳とＡヒダ２までの距離が重要となる。
【００３１】
だが、デザイン上の要請によりＡヒダ２ａ間やＢヒダ３ａ間の間隔が大きくなると、耳４とＡヒダ２ａや耳４とＢヒダ２ａまでの距離が大きくなりすぎる場合がある。そのような場合は、耳４の近辺に追加のヒダを設ければよい。
【００３２】
すなわち、耳４にもっとも近いヒダがＢヒダ３ａであった場合、当該Ｂヒダ３ａと耳４の間に追加のＡヒダである端部Ａヒダ２ｄを設ける。端部Ａヒダ２ｄを設けることで、耳４と当該耳４にもっとも近いＡヒダまでの距離が短縮され、リバーシブルカーテン１を吊るした場合に端部が垂れ下がることがなくなる。
【００３３】
逆に耳４にもっとも近いヒダがＡヒダ２ａであった場合、当該Ａヒダ２ａと耳４の間に追加のＢヒダである端部Ｂヒダ２ｄを設ける。端部Ｂヒダ３ｄを設けることで、耳４と当該耳４にもっとも近いＢヒダまでの距離が短縮され、リバーシブルカーテン１を吊るした場合に端部が垂れ下がることがなくなる。
【００３４】
耳４の近辺ではヒダを設けることによるカーテンのなめらかな曲線を描く効果が薄れる為、デザイン上の要請による束縛が少ない。その為、図３に示すように、端部Ａヒダ２ｄ及び端部Ｂヒダ３ｄを同じ場所に形成することも可能である。Ａ面側を用いる場合であってもＢ面側を用いる場合であっても、耳から最短のヒダまでの距離が同じになるため、確実に端部の垂れ下がりを防ぐことができる。
【００３５】
カーテンの耳４は、カーテンの開け閉め等の際に利用されることや、生地を構成する糸がほつれていく起点になりうることから一定以上の強度が必要とされる。
【００３６】
Ｂ面側から見た場合にＡ面２の生地が見えるような状態となると、意図してそのようなデザインを採用する場合を除いてデザイン的に不都合が生じる。したがって、表側からはＢ面３の生地が見えず、裏側からはＡ面２の生地が見えないよう手段で耳４の強度を確保しなくてはならない。これを実現する例として生地の縁をメローロックミシンでかがり縫いを行う等、様々な公知の手法を活用できる。
【００３７】
また、生地の縁を折り返した上でさらに折り返した状態で縫う折り返したたき付けをおこなってもよい。この場合は生地の縁が３倍の厚さとなり強度が非常に高くなる。２回折り返すことから、表側からはＡ面２の生地のみ、裏側からはＢ面３の生地のみ見える為、デザインの観点から見栄えが悪化することがない。
【００３８】
耳４の強度の確保と端部の垂れ下がりの防止を両立させる手法として、耳にヒダを設けてもよい。耳のヒダはＡヒダまたはＢヒダのみを設けてもよいが、図４に示すように、ＡヒダとＢヒダの双方を設けてもよい。
【００３９】
表側用耳孔２ｅ及び裏側用耳孔３ｅは、ヒダを形成する際と同様に、耳の上端からカーテンの頭の領域の範囲内を縦方向に縫うことで安定化させる。この際、耳の部分が表側用耳孔２ｅ及び裏側用耳孔３ｅの双方の付け根にあたる箇所と重なるように縫うと、見栄えがよい。
【００４０】
耳孔を設けた場合は、カーテンの表側を用いる場合でも裏側を用いる場合でも、耳の部分をフックで直接支えることが可能となるため、リバーシブルカーテン１を吊るした場合の端部が垂れ下がりを確実に防止できる。また耳４の箇所を２重に折り返すことによって十分な強度を確保することができる。
【００４１】
このようにして構成された本発明のリバーシブルカーテン１は、表側を部屋に向けて使用する際はＡヒダの孔２ｃに裏側からフックを挿入して吊るして用いられる。
【００４２】
その場合、Ａヒダ２ａがある、すなわち表側２が凸状となっている箇所をフックで支えることになるため、綺麗なブリーツを得ることができる。なお、Ｂヒダ３ａの表側２は凹状となっているため、Ｂヒダの孔３ｃは表側からは目立たない。
【００４３】
次に、裏側３を部屋に向けて使用する際は、Ｂヒダの孔３ｃの表側からフックを挿入して吊るして用いられる。
【００４４】
その場合、Ｂヒダ３ａがある、すなわち裏側が凸状となっている箇所をフックで支えることになるため、裏側からみても綺麗なブリーツを得ることができる。なお、Ａヒダ２ａの裏側は凹状となっているため、Ａヒダの孔２ｃは裏側からは目立たない。
【００４５】
以上、本発明のリバーシブルカーテン１について説明したが、ヒダとしてＡヒダ２ａとＢヒダ３ａの双方を用いる点を踏まえるのであれば、公知の様々な手法を採用することができる。
【００４６】
例えばヒダ山を１つではなく、２つとる２ツ山ヒダ、３つとる３ツ山ヒダ、ヒダを箱型にとる箱ヒダといった様々なデザインのヒダ山を用いてもよい。これらの場合も、ヒダ山を安定させるための縫製はカーテンの上端から頭の領域の長さだけ縦方向に行うことが望ましい。特に片ヒダを採用した場合はＡヒダ２ａとＢヒダ３ａが交互に配置されたジグザグ状のヒダの形状がそのままカーテン全体のシルエットに反映され、美しい。
【００４７】
Ａヒダ２ａとＢヒダ３ａの総数は同数となるよう設計すれば、Ａ面２を用いる場合とＢ面３を用いる場合に必要となるフックの数が変わらなくなる為、フックを余らす、あるいは足りなくなる虞がなく便利である。耳孔や端部Ａヒダ２ｄ等を設ける場合も、表側の総数と裏側の総数が同数となるようにすればさらによい。
【００４８】
このようにして製造された本発明のリバーシブルカーテンは、図５に示すとおり、Ａ面２とＢ面３の双方を全く同じ条件で利用することが可能となるし、図６や図７に示すように、両面を同時に用いることも可能である。
【００４９】
ところで、リバーシブルカーテン１は、Ａ面２とＢ面３でデザインが異なる生地を用いなくては、その意義が失われてしまう。このような生地を実現する手法としては、Ａ面とＢ面のデザインが異なる生地１枚を用いることや、異なるデザインの生地２枚を貼り合わせる等の公知のあらゆる方法を用いることができる。
【００５０】
このうち、デザイン上の自由度がもっとも高まるのは、異なる生地２枚を縫い合わせることでＡ面２とＢ面３を形成する方法である。２枚の生地を用いてカーテンを大量生産する場合、生地をカーテンの長さ枚に裁断した後に、カーテンの頭の部分を縫製した後に、耳４や底側を縫い合わせる等の処理を行う。
【００５１】
この縫い合わせの方法として、２枚の生地を耳で縫い合わせて裏返す袋縫いを採用することも可能である。袋縫いを行う場合は、頭の処理を行う前に耳４の処理を行う。すなわち、生地と生地の端部を縫合して袋状とした後にひっくり返す。縫製した部分が谷となり、布地の側縁の部分が内部に格納されるため、外から見た場合に見苦しくない。さらに、Ａ面側からもＢ面側からも互いに裏側となる生地が見えることがない。
【００５２】
また、縫製した部分が谷となるため、縫い目が目立たない。本発明の生地の材質については、ポリエステル、アクリル、レーヨン、綿といったカーテンにおいて一般的に使用可能な生地は全て用いることができるし、形状記憶、遮光、制電、防災、光触媒消臭といった特殊な機能を有した生地も利用可能であるが、袋縫いを採用する際のメリットとして、遮光性をもたせた場合に縫い目から光が透ってしまう虞がない。
【００５３】
袋縫いを採用する場合は、生地と生地の端部を一気に縫製した後で、カーテンの長さ枚に裁断し、その後に頭や端部を順番に縫製を行うことも可能である。この方法は、耳の部分を一気に縫製できるので大量生産時に効率がよい。
【００５４】
図８に示すとおり、Ａ面とＢ面からなる生地、Ｃ面とＤ面からなる生地の２枚からなるリバーシブルカーテンを、頭の部分のみでの縫い合わせ、すなわち耳や底側は縫い合わせない方式で縫製することも可能である。この方式を採用した場合、図９に示すとおり最大４つの面を同時に利用可能なリバーシブルカーテンとなり、これまでにないデザインを提供することが可能になる。なお、耳や底部で２枚の生地を縫い合わせない場合であっても、糸のほつれ等を防ぐためにそれぞれの生地において強度を確保するためのかがり縫いなどを行う必要があるのは当然である。
【００５５】
以上、本発明の実施形態について説明したが、本発明の実施形態の一部または全部は、以下の付記のように記載される。
［付記１］
表と裏で異なるデザインを有したカーテン生地を用いた両面利用可能なカーテンであって、
表面が山となるようカーテンを折り曲げた上で、当該山の頂点からカーテンを吊るすフックの直径と略同一のサイズ分だけ離れた位置を縦方向に縫われることで形成された表ヒダと、
裏面が山となるようカーテンを折り曲げた上で、当該山の頂点からカーテンを吊るすフックの直径と略同一のサイズ分だけ離れた位置を縦方向に縫われることで形成された裏ヒダと、
を備えており、表ヒダと裏ヒダが交互に配置されていることを特徴とするカーテン。
［付記２］
付記１に記載のカーテンであって、
全ての表ヒダと裏ヒダは等間隔で交互に配置されており、
カーテンの耳に最も近いヒダが表ヒダである場合は、当該表ヒダと耳の距離が上記間隔よりも小さく、
カーテンの耳に最も近いヒダが裏ヒダである場合は、当該裏ヒダと耳の距離が上記間隔よりも小さいことを特徴とするカーテン。
［付記３］
付記１に記載のカーテンであって、
カーテンの耳に表ヒダ及び裏ヒダを有していることを特徴とするカーテン。
［付記４］
表生地と裏生地の２枚を袋縫いで一体化させた生地を用いた両面利用可能なカーテンであって、
表生地が山となるようカーテンを折り曲げた上で、当該山の頂点からカーテンを吊るすフックの直径と略同一のサイズ分だけ離れた位置を縦方向に縫われることで形成された表ヒダと、
裏生地が山となるようカーテンを折り曲げた上で、当該山の頂点からカーテンを吊るすフックの直径と略同一のサイズ分だけ離れた位置を縦方向に縫われることで形成された裏ヒダと、
を備えており、表ヒダと裏ヒダが交互に配置されていることを特徴とするカーテン。
【符号の説明】
【００５６】
１  本発明に係るリバーシブルカーテン
２  Ａ面
２ａ  Ａヒダ
２ｂ  Ａヒダの根本の縫製箇所
２ｃ  Ａヒダのフック挿入孔
２ｄ  端部Ａヒダ
２ｅ  Ａヒダの耳孔
３  Ｂ面
３ａ  Ｂヒダ
３ｂ  Ｂヒダの根本の縫製箇所
３ｃ  Ｂヒダのフック挿入孔
３ｄ  端部Ｂヒダ
３ｅ  Ｂヒダの耳孔 
４    カーテンの左右の端部にあたる部分である耳
【図１】
2018047081.tif 000003
【図２】
2018047081.tif 000004
【図３】
2018047081.tif 000005
【図４】
2018047081.tif 000006
【図５】
2018047081.tif 000007
【図６】
2018047081.tif 000008
【図７】
2018047081.tif 000009
【図８】
2018047081.tif 000010
【図９】
2018047081.tif 000011